(57)【特許請求の範囲】
【請求項１】
複数の無線通信端末と、当該無線通信端末と無線通信を実行可能に構成された複数の無線通信装置と、を備える無線通信システムであって、
前記複数の無線通信装置のそれぞれは、
当該無線通信装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに当該無線通信装置の状態を設定するように構成され、
前記無線通信システムは、
前記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得する負荷情報取得手段と、
前記取得された装置負荷情報及び周辺負荷情報に基づいて、前記無線通信端末が帰属する前記無線通信装置である帰属先装置を変更する帰属先装置変更手段と、
を備え、
前記帰属先装置変更手段は、
前記無線通信装置に対して取得された装置負荷情報が表す装置負荷が、予め設定された第１の閾値負荷よりも大きく、且つ、当該無線通信装置に対して取得された周辺負荷情報が表す周辺負荷が、予め設定された第２の閾値負荷よりも小さい場合、当該無線通信装置に帰属している無線通信端末の少なくとも一部の帰属先装置を、当該無線通信装置に対する周辺装置へ変更するように構成された無線通信システム
【請求項２】
複数の無線通信端末と、当該無線通信端末と無線通信を実行可能に構成された複数の無線通信装置と、を備える無線通信システムであって、
前記複数の無線通信装置のそれぞれは、
当該無線通信装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに当該無線通信装置の状態を設定するように構成され、
前記無線通信システムは、
前記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得する負荷情報取得手段と、
前記取得された装置負荷情報及び周辺負荷情報に基づいて、前記無線通信端末が帰属する前記無線通信装置である帰属先装置を変更する帰属先装置変更手段と、
を備え、
前記帰属先装置変更手段は、
前記無線通信装置に対して取得された装置負荷情報が表す装置負荷が、予め設定された第３の閾値負荷よりも小さく、且つ、当該装置負荷が、当該無線通信装置に対して取得された周辺負荷情報が表す周辺負荷よりも小さい場合、当該無線通信装置に帰属している無線通信端末の少なくとも一部の帰属先装置を、当該無線通信装置に対する周辺装置へ変更するように構成された無線通信システム。
【請求項３】
複数の無線通信端末と、当該無線通信端末と無線通信を実行可能に構成された複数の無線通信装置と、を備える無線通信システムであって、
前記複数の無線通信装置のそれぞれは、
当該無線通信装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに当該無線通信装置の状態を設定するように構成され、
前記無線通信システムは、
前記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得する負荷情報取得手段と、
前記取得された装置負荷情報及び周辺負荷情報に基づいて、前記無線通信端末が帰属する前記無線通信装置である帰属先装置を変更する帰属先装置変更手段と、
を備え、
前記帰属先装置変更手段は、
前記無線通信装置に対して取得された装置負荷情報が表す装置負荷が、予め設定された第４の閾値負荷よりも小さく、且つ、当該無線通信装置に対して取得された周辺負荷情報が表す周辺負荷が、予め設定された第５の閾値負荷よりも大きい場合、当該無線通信装置に対する周辺装置に帰属している無線通信端末の少なくとも一部の帰属先装置を、当該無線通信装置へ変更するように構成された無線通信システム。
【請求項４】
複数の無線通信端末と、当該無線通信端末と無線通信を実行可能に構成された複数の無線通信装置と、を備える無線通信システムであって、
前記複数の無線通信装置のそれぞれは、
当該無線通信装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに当該無線通信装置の状態を設定するように構成され、
前記無線通信システムは、
前記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得する負荷情報取得手段と、
前記取得された装置負荷情報及び周辺負荷情報に基づいて、前記無線通信端末が帰属する前記無線通信装置である帰属先装置を変更する帰属先装置変更手段と、
を備え、
前記帰属先装置変更手段は、
前記無線通信装置に対して取得された装置負荷情報が表す装置負荷が、予め設定された第６の閾値負荷よりも小さく、且つ、当該装置負荷が、当該無線通信装置に対して取得された周辺負荷情報が表す周辺負荷よりも大きい場合、当該無線通信装置に対する周辺装置に帰属している無線通信端末の少なくとも一部の帰属先装置を、当該無線通信装置へ変更するように構成された無線通信システム。
【請求項５】
請求項１乃至４のいずれかに記載の無線通信システムであって、
前記複数の無線通信装置のそれぞれは、
当該無線通信装置の状態を前記起動状態に変更可能な無線通信端末を識別するための端末識別情報を記憶するように構成され、
当該無線通信装置の状態が前記スリープ状態である場合において、前記記憶されている端末識別情報を含む前記起動信号を受信したとき、当該無線通信装置の状態を前記起動状態へ変更するように構成され、
前記複数の無線通信端末のそれぞれは、
当該無線通信端末を識別するための端末識別情報を含む前記起動信号を送信するように構成され、
前記帰属先装置変更手段は、
前記複数の無線通信装置のそれぞれに対して、当該無線通信装置が記憶している端末識別情報を、当該無線通信装置が前記帰属先装置である無線通信端末を識別するための端末識別情報に更新するように構成された無線通信システム。
【請求項６】
請求項１乃至請求項５のいずれかに記載の無線通信システムであって、
前記周辺負荷は、前記周辺装置のそれぞれの負荷を平均した値である無線通信システム。
【請求項７】
請求項１乃至請求項６のいずれかに記載の無線通信システムであって、
前記負荷は、単位時間あたりの、前記無線通信装置の状態が前記起動状態に設定されている時間である稼働率、及び、単位時間あたりの、前記無線通信装置が無線通信を行っている時間であるチャネル利用率、の少なくとも１つを含む無線通信システム。
【請求項８】
複数の無線通信端末と、当該無線通信端末と無線通信を実行可能に構成された複数の無線通信装置と、を備える無線通信システムに適用される無線通信方法であって、
前記複数の無線通信装置のそれぞれは、
当該無線通信装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに当該無線通信装置の状態を設定するように構成され、
前記無線通信方法は、
前記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得し、
前記取得された装置負荷情報及び周辺負荷情報に基づいて、前記無線通信端末が帰属する前記無線通信装置である帰属先装置を変更し、
前記無線通信装置に対して取得された装置負荷情報が表す装置負荷が、予め設定された第１の閾値負荷よりも大きく、且つ、当該無線通信装置に対して取得された周辺負荷情報が表す周辺負荷が、予め設定された第２の閾値負荷よりも小さい場合、当該無線通信装置に帰属している無線通信端末の少なくとも一部の帰属先装置を、当該無線通信装置に対する周辺装置へ変更する無線通信方法。
【請求項９】
複数の無線通信端末と、当該無線通信端末と無線通信を実行可能に構成された複数の無線通信装置と、を備える無線通信システムに適用される無線通信方法であって、
前記複数の無線通信装置のそれぞれは、
当該無線通信装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに当該無線通信装置の状態を設定するように構成され、
前記無線通信方法は、
前記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得し、
前記取得された装置負荷情報及び周辺負荷情報に基づいて、前記無線通信端末が帰属する前記無線通信装置である帰属先装置を変更し、
前記無線通信装置に対して取得された装置負荷情報が表す装置負荷が、予め設定された第３の閾値負荷よりも小さく、且つ、当該装置負荷が、当該無線通信装置に対して取得された周辺負荷情報が表す周辺負荷よりも小さい場合、当該無線通信装置に帰属している無線通信端末の少なくとも一部の帰属先装置を、当該無線通信装置に対する周辺装置へ変更する無線通信方法。
【請求項１０】
複数の無線通信端末と、当該無線通信端末と無線通信を実行可能に構成された複数の無線通信装置と、を備える無線通信システムに適用される無線通信方法であって、
前記複数の無線通信装置のそれぞれは、
当該無線通信装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに当該無線通信装置の状態を設定するように構成され、
前記無線通信方法は、
前記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得し、
前記取得された装置負荷情報及び周辺負荷情報に基づいて、前記無線通信端末が帰属する前記無線通信装置である帰属先装置を変更し、
前記無線通信装置に対して取得された装置負荷情報が表す装置負荷が、予め設定された第４の閾値負荷よりも小さく、且つ、当該無線通信装置に対して取得された周辺負荷情報が表す周辺負荷が、予め設定された第５の閾値負荷よりも大きい場合、当該無線通信装置に対する周辺装置に帰属している無線通信端末の少なくとも一部の帰属先装置を、当該無線通信装置へ変更する無線通信方法。
【請求項１１】
複数の無線通信端末と、当該無線通信端末と無線通信を実行可能に構成された複数の無線通信装置と、を備える無線通信システムに適用される無線通信方法であって、
前記複数の無線通信装置のそれぞれは、
当該無線通信装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに当該無線通信装置の状態を設定するように構成され、
前記無線通信方法は、
前記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得し、
前記取得された装置負荷情報及び周辺負荷情報に基づいて、前記無線通信端末が帰属する前記無線通信装置である帰属先装置を変更し、
前記無線通信装置に対して取得された装置負荷情報が表す装置負荷が、予め設定された第６の閾値負荷よりも小さく、且つ、当該装置負荷が、当該無線通信装置に対して取得された周辺負荷情報が表す周辺負荷よりも大きい場合、当該無線通信装置に対する周辺装置に帰属している無線通信端末の少なくとも一部の帰属先装置を、当該無線通信装置へ変更する無線通信方法。
【発明の詳細な説明】
【技術分野】
【０００１】
本発明は、複数の無線通信端末と、当該無線通信端末と無線通信を実行可能に構成された複数の無線通信装置と、を備える無線通信システムに関する。
【背景技術】
【０００２】
複数の無線通信端末と、当該無線通信端末と無線通信を実行可能に構成された複数の無線通信装置と、を備える無線通信システムが知られている。この種の無線通信システムの１つとして特許文献１に記載の無線通信システムにおいて、複数の無線通信装置のそれぞれは、当該無線通信装置に帰属している無線通信端末との間の無線通信を許可するように構成される。
【０００３】
更に、複数の無線通信装置のそれぞれは、起動状態と、スリープ状態と、のいずれかに当該無線通信装置の状態を設定するように構成される。起動状態は、無線通信端末と、予め定められた第１の通信方式に従って任意のデータを無線通信可能な状態である。スリープ状態は、無線信号を受信するために必要とされる電力が第１の通信方式よりも小さい第２の通信方式に従って起動信号を受信可能であり且つ無線通信端末と当該第１の通信方式に従った無線通信を実行不能な状態である。
【０００４】
これによれば、無線通信装置の状態をスリープ状態に設定している期間において、無線通信装置が消費する電力の量を低減することができる。
【先行技術文献】
【特許文献】
【０００５】
【特許文献１】特開２００９−７７３７５号公報
【発明の概要】
【発明が解決しようとする課題】
【０００６】
ところで、例えば、比較的多数の無線通信端末が特定の無線通信装置に帰属している場合、当該無線通信装置の負荷が比較的大きくなる。この場合、当該無線通信装置と無線通信端末との間の無線通信の品質が低下する虞がある。従って、この場合、無線通信端末が帰属する無線通信装置である帰属先装置を、負荷が比較的小さい無線通信装置に変更することが好適であると考えられる。
【０００７】
また、複数の無線通信装置のそれぞれの負荷が比較的小さい場合、当該複数の無線通信装置の一部の無線通信装置に、すべての無線通信端末を帰属させることにより、他の無線通信装置の状態がスリープ状態に設定される時間が長くなる可能性を高めることができる。従って、この場合、無線通信端末が帰属する無線通信装置である帰属先装置を、特定の無線通信装置に変更することが好適であると考えられる。
【０００８】
しかしながら、上記無線通信システムにおいては、無線通信端末に対して、無線通信装置の負荷に応じた適切な帰属先装置を設定できない虞があった。
【０００９】
このため、本発明の目的は、上述した課題である「無線通信端末に対して、無線通信装置の負荷に応じた適切な帰属先装置を設定できない場合が生じること」を解決することが可能な無線通信システムを提供することにある。
【課題を解決するための手段】
【００１０】
かかる目的を達成するため本発明の一形態である無線通信システムは、複数の無線通信端末と、当該無線通信端末と無線通信を実行可能に構成された複数の無線通信装置と、を備えるシステムである。
【００１１】
更に、上記複数の無線通信装置のそれぞれは、
当該無線通信装置に帰属している無線通信端末との間の無線通信を許可するように構成され、
上記無線通信端末と、予め定められた第１の通信方式に従って任意のデータを無線通信可能な状態である起動状態と、無線信号を受信するために必要とされる電力が上記第１の通信方式よりも小さい第２の通信方式に従って起動信号を受信可能であり且つ上記無線通信端末と当該第１の通信方式に従った無線通信を実行不能な状態であるスリープ状態と、のいずれかに当該無線通信装置の状態を設定するように構成される。
【００１２】
更に、上記無線通信システムは、
上記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得する負荷情報取得手段と、
上記取得された装置負荷情報及び周辺負荷情報に基づいて、上記無線通信端末が帰属する上記無線通信装置である帰属先装置を変更する帰属先装置変更手段と、
を備える。
【００１３】
また、本発明の他の形態である無線通信方法は、複数の無線通信端末と、当該無線通信端末と無線通信を実行可能に構成された複数の無線通信装置と、を備える無線通信システムに適用される方法である。
【００１４】
更に、上記複数の無線通信装置のそれぞれは、
当該無線通信装置に帰属している無線通信端末との間の無線通信を許可するように構成され、
上記無線通信端末と、予め定められた第１の通信方式に従って任意のデータを無線通信可能な状態である起動状態と、無線信号を受信するために必要とされる電力が上記第１の通信方式よりも小さい第２の通信方式に従って起動信号を受信可能であり且つ上記無線通信端末と当該第１の通信方式に従った無線通信を実行不能な状態であるスリープ状態と、のいずれかに当該無線通信装置の状態を設定するように構成される。
【００１５】
更に、上記無線通信方法は、
上記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得し、
上記取得された装置負荷情報及び周辺負荷情報に基づいて、上記無線通信端末が帰属する上記無線通信装置である帰属先装置を変更する方法である。
【００１６】
また、本発明の他の形態である無線通信装置は、無線通信端末と無線通信を実行可能に構成された装置である。
【００１７】
更に、この無線通信装置は、
当該無線通信装置である自装置に帰属している無線通信端末との間の無線通信を許可するように構成され、
上記無線通信端末と、予め定められた第１の通信方式に従って任意のデータを無線通信可能な状態である起動状態と、無線信号を受信するために必要とされる電力が上記第１の通信方式よりも小さい第２の通信方式に従って起動信号を受信可能であり且つ上記無線通信端末と当該第１の通信方式に従った無線通信を実行不能な状態であるスリープ状態と、のいずれかに上記自装置の状態を設定するように構成され、
上記自装置の負荷である装置負荷を表す装置負荷情報と、当該自装置の近傍に位置する他の無線通信装置である周辺装置の負荷である周辺負荷を表す周辺負荷情報と、を取得する負荷情報取得手段と、
上記取得された装置負荷情報及び周辺負荷情報に基づいて、上記無線通信端末が帰属する無線通信装置である帰属先装置を変更する帰属先装置変更手段と、
を備える。
【００１８】
また、本発明の他の形態である無線通信装置制御方法は、無線通信端末と無線通信を実行可能に構成された無線通信装置に適用される方法である。
【００１９】
更に、上記無線通信装置は、
当該無線通信装置である自装置に帰属している無線通信端末との間の無線通信を許可するように構成され、
上記無線通信端末と、予め定められた第１の通信方式に従って任意のデータを無線通信可能な状態である起動状態と、無線信号を受信するために必要とされる電力が上記第１の通信方式よりも小さい第２の通信方式に従って起動信号を受信可能であり且つ上記無線通信端末と当該第１の通信方式に従った無線通信を実行不能な状態であるスリープ状態と、のいずれかに上記自装置の状態を設定するように構成される。
【００２０】
更に、上記無線通信装置制御方法は、
上記自装置の負荷である装置負荷を表す装置負荷情報と、当該自装置の近傍に位置する他の無線通信装置である周辺装置の負荷である周辺負荷を表す周辺負荷情報と、を取得し、
上記取得された装置負荷情報及び周辺負荷情報に基づいて、上記無線通信端末が帰属する無線通信装置である帰属先装置を変更する方法である。
【００２１】
また、本発明の他の形態である無線通信装置制御プログラムは、無線通信端末と無線通信を実行可能に構成された無線通信装置に実行されるプログラムである。
【００２２】
更に、上記無線通信装置は、
当該無線通信装置である自装置に帰属している無線通信端末との間の無線通信を許可するように構成され、
上記無線通信端末と、予め定められた第１の通信方式に従って任意のデータを無線通信可能な状態である起動状態と、無線信号を受信するために必要とされる電力が上記第１の通信方式よりも小さい第２の通信方式に従って起動信号を受信可能であり且つ上記無線通信端末と当該第１の通信方式に従った無線通信を実行不能な状態であるスリープ状態と、のいずれかに上記自装置の状態を設定するように構成される。
【００２３】
更に、上記無線通信装置制御プログラムは、上記無線通信装置に、
上記自装置の負荷である装置負荷を表す装置負荷情報と、当該自装置の近傍に位置する他の無線通信装置である周辺装置の負荷である周辺負荷を表す周辺負荷情報と、を取得し、
上記取得された装置負荷情報及び周辺負荷情報に基づいて、上記無線通信端末が帰属する無線通信装置である帰属先装置を変更する、処理を実行させるためのプログラムである。
【発明の効果】
【００２４】
本発明は、以上のように構成されることにより、無線通信端末に対して、無線通信装置の負荷に応じた適切な帰属先装置を設定することができる。
【図面の簡単な説明】
【００２５】
【図１】本発明の第１実施形態に係る無線通信システムの概略構成を表す図である。
【図２】本発明の第１実施形態に係る無線端末の構成を表すブロック図である。
【図３】本発明の第１実施形態に係る無線基地局の構成を表すブロック図である。
【図４】本発明の第１実施形態に係る管理装置の構成を表すブロック図である。
【図５】本発明の第１実施形態に係る周辺装置テーブルの一例を示した図である。
【図６】本発明の第１実施形態に係る装置負荷テーブルの一例を示した図である。
【図７】本発明の第１実施形態に係る帰属端末テーブルの一例を示した図である。
【図８】本発明の第１実施形態に係る帰属変更テーブルの一例を示した図である。
【図９】本発明の第１実施形態に係る、装置負荷、及び、周辺負荷と、変更情報と、の関係を概念的に示した説明図である。
【図１０】本発明の第１実施形態に係る変更後帰属テーブルの一例を示した図である。
【図１１】本発明の第１実施形態に係る無線通信システムの作動を示したシーケンス図である。
【図１２】本発明の第２実施形態に係る無線通信システムの概略構成を表す図である。
【図１３】本発明の第２実施形態に係る無線基地局の構成を表すブロック図である。
【図１４】本発明の第３実施形態に係る無線通信システムの構成を表す図である。
【発明を実施するための形態】
【００２６】
以下、本発明に係る、無線通信システム、無線通信方法、無線通信装置、無線通信装置制御方法、及び、無線通信装置制御プログラム、の各実施形態について図１〜図１４を参照しながら説明する。
【００２７】
＜第１実施形態＞
（構成）
図１に示したように、第１実施形態に係る無線通信システム１は、管理装置１０と、複数の無線基地局（無線通信装置）１１〜１４と、複数の無線端末（無線通信端末）１０１〜１０６と、を備える。
管理装置１０、及び、複数の無線基地局１１〜１４は、通信ケーブルＮＣを介して、互いに通信可能に接続されている。
【００２８】
無線基地局１１〜１４のそれぞれは、無線端末１０１〜１０６と無線通信を実行可能に構成される。具体的には、各無線基地局１１〜１４は、当該無線基地局１１〜１４との間の距離が所定の閾値距離よりも短い無線端末１０１〜１０６と無線通信を実行可能に構成される。
【００２９】
本例では、無線基地局１１〜１４、及び、無線端末１０１〜１０６は、無線ＬＡＮ（Ｌｏｃａｌ  Ａｒｅａ  Ｎｅｔｗｏｒｋ）（例えば、ＩＥＥＥ８０２．１１ａ、ＩＥＥＥ８０２．１１ｂ、ＩＥＥＥ８０２．１１ｇ、ＩＥＥＥ８０２．１１ｊ、又は、ＩＥＥＥ８０２．１１ｎ等）を構成する。
【００３０】
なお、無線基地局１１〜１４、及び、無線端末１０１〜１０６は、移動体通信網、近距離無線通信網（例えば、Ｂｌｕｅｔｏｏｔｈ（登録商標）、及び、ＺｉｇＢｅｅ（登録商標）等）、ＷｉＭＡＸ、ＩＥＥＥ８０２．１１ａｈにより定められる通信網、ＩＥＥＥ１９００．６により定められる通信網等を構成していてもよい。
【００３１】
また、各無線基地局１１〜１４は、基地局、Ａｃｃｅｓｓ  Ｐｏｉｎｔ、Ｂａｓｅ  Ｓｔａｔｉｏｎ、又は、Ｎｏｄｅ  Ｂとも呼ばれる。また、無線端末１０１〜１０６のそれぞれは、無線端末、又は、Ｓｔａｔｉｏｎとも呼ばれる。
【００３２】
例えば、無線端末１０１〜１０６は、パーソナル・コンピュータ、携帯電話端末、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、スマートフォン、カーナビゲーション端末、又は、ゲーム端末等である。
【００３３】
本例では、無線端末１０１〜１０６のそれぞれは、異なるユーザにより携帯されている。従って、無線端末１０１〜１０６のそれぞれは、当該無線端末を携帯するユーザの移動に伴って移動する。
【００３４】
先ず、無線端末１０１〜１０６について、より詳細に説明する。
図２に示したように、無線端末１０１は、無線通信部２０１と、通信処理部２０２と、起動信号生成部２０３と、を備える。ここで、図２は、無線端末１０１の構成のうちの、本発明に係る部分のみを示している。なお、無線端末１０１は、図２に示した構成以外の構成を更に備えていてもよい。また、無線端末１０１以外の無線端末１０２〜１０６も、無線端末１０１と同様の構成を有する。
【００３５】
無線通信部２０１は、アンテナを備える。無線通信部２０１は、アンテナを介して無線信号を送受信する（送信、及び、受信を行う）。
通信処理部２０２は、無線通信部２０１により受信された無線信号が表す受信情報に基づく処理を実行する。また、通信処理部２０２は、送信情報を生成し、生成された送信情報を無線通信部２０１を介して送信する。
【００３６】
起動信号生成部２０３は、無線端末１０１を識別するための（即ち、無線端末１０１に固有の）端末識別情報を保持している（端末識別情報が予め設定されている）。
【００３７】
起動信号生成部２０３は、無線端末１０１が帰属している無線基地局１１〜１４である帰属先装置の状態がスリープ状態に設定されている（例えば、帰属先装置から予め設定された期間に亘って無線信号が受信されなかった）場合、予め定められた起動（ウェイクアップ）信号を生成する。起動信号は、起動信号生成部２０３が記憶している端末識別情報を含む。起動信号生成部２０３は、生成された起動信号を、無線通信部２０１を介して送信する。
【００３８】
なお、無線通信部２０１は、起動信号以外の無線信号を送信する場合、及び、無線信号を受信する場合、第１の通信方式に従った無線通信を行う。本例では、第１の通信方式は、無線端末１０１〜１０６を無線基地局１１〜１４に帰属させる（即ち、無線基地局１１〜１４が無線端末１０１〜１０６を収容する）とともに、無線基地局１１〜１４と無線端末１０１〜１０６との間で無線通信を行うための通信方式である。
【００３９】
本例では、第１の通信方式は、無線ＬＡＮ規格に準拠した通信方式であり、ＩＥＥＥ  ８０２．１１ｂ、ＩＥＥＥ  ８０２．１１ｇ、ＩＥＥＥ  ８０２．１１ａ、又は、ＩＥＥＥ  ８０２．１１ｎ等である。なお、第１の通信方式は、ＵＷＢ（Ｕｌｔｒａ  Ｗｉｄｅ  Ｂａｎｄ）、又は、ＺｉｇＢｅｅ（登録商標）等の他の通信方式であってもよい。
【００４０】
また、無線通信部２０１は、起動信号を送信する場合、第２の通信方式に従った無線通信を行う。第２の通信方式は、無線信号を受信するために必要とされる電力が第１の通信方式よりも小さい通信方式である。
【００４１】
本例では、第２の通信方式は、無線信号を受信するために必要とされる電力が第１の通信方式よりも極めて小さい通信方式である。本例では、第２の通信方式は、例えば、特許文献１に記載されているような、無線信号の到来の有無の時間に対する変化を情報として通信する方式、又は、無線信号の長さ（例えば、フレーム長）を情報として通信する方式等の、消費される電力の量が比較的大きい、無線信号を復調するための復調回路を使用することなく通信可能な通信方式である。なお、第２の通信方式は、第１の通信方式よりも消費される電力の量が小さい方式であれば、他の通信方式であってもよい。
【００４２】
次に、無線基地局１１〜１４について、より詳細に説明する。
図３に示したように、無線基地局１１は、無線通信部３０１と、通信処理部３０２と、有線通信部３０３と、電源制御部３０４と、帰属情報管理部３０５と、起動信号受信部３０６と、端末識別情報比較部３０７と、を備える。なお、無線基地局１１以外の無線基地局１２〜１４も、無線基地局１１と同様の構成を有する。
【００４３】
無線通信部３０１は、第１の通信方式に従った無線通信を実行するように構成される。本例では、無線通信部３０１は、無線端末１０１〜１０６のそれぞれと通信可能に構成される。
【００４４】
更に、無線通信部３０１は、予め設定された送信周期が経過する毎に、無線基地局１１と無線通信可能であることを通知するためのビーコン信号（Ｂｅａｃｏｎフレーム）を送信する。本例では、ビーコン信号は、無線基地局１１を識別するための識別子（例えば、ＥＳＳＩＤ（Ｅｘｔｅｎｄｅｄ  Ｓｅｒｖｉｃｅ  Ｓｅｔ  Ｉｄｅｎｔｉｆｉｅｒ）、又は、ＢＳＳＩＤ（Ｂａｓｉｃ  Ｓｅｒｖｉｃｅ  Ｓｅｔ  Ｉｄｅｎｔｉｆｉｅｒ）等）を含む。
【００４５】
有線通信部３０３は、有線通信（本例では、通信ケーブルＮＣを介した通信）を実行するように構成される。有線通信部３０３は、管理装置１０、及び、他の無線基地局１２〜１４のそれぞれと通信可能に構成される。
【００４６】
通信処理部３０２は、有線通信部３０３により受信された受信情報に基づく処理を実行する。
更に、通信処理部３０２は、無線通信部３０１により無線信号が受信された場合において、当該無線信号の送信元である無線端末１０１〜１０６が、無線基地局１１（自装置）に帰属している無線端末であるとき、当該無線信号が表す受信情報に基づく処理を実行する。
【００４７】
一方、通信処理部３０２は、無線通信部３０１により無線信号が受信された場合において、当該無線信号の送信元である無線端末１０１〜１０６が、無線基地局１１（自装置）に帰属している無線端末でないとき、当該無線信号が表す受信情報に基づく処理を実行しない。即ち、無線基地局１１は、自装置に帰属している無線端末１０１〜１０６との間の無線通信を許可するように構成される。
【００４８】
また、通信処理部３０２は、送信情報を生成し、生成された送信情報を無線通信部３０１又は有線通信部３０３を介して送信する。
なお、無線基地局１１は、２つの通信部（無線通信部３０１、及び、有線通信部３０３）を備えるが、３つ以上の通信部を備えていてもよい。
【００４９】
起動信号受信部３０６は、無線端末１０１〜１０６により送信され、且つ、第２の通信方式に従った起動信号を受信するように構成される。
【００５０】
電源制御部３０４は、無線通信部３０１、通信処理部３０２、有線通信部３０３、帰属情報管理部３０５、起動信号受信部３０６、及び、端末識別情報比較部３０７のそれぞれへの電力の供給を制御可能に構成される。なお、帰属情報管理部３０５は、負荷情報取得手段の一部、及び、帰属先装置変更手段の一部を構成している。
【００５１】
電源制御部３０４は、無線基地局１１の状態が起動状態に設定されている場合、無線通信部３０１、通信処理部３０２、有線通信部３０３、帰属情報管理部３０５、起動信号受信部３０６、及び、端末識別情報比較部３０７のそれぞれへの電力の供給を許可する。
【００５２】
一方、電源制御部３０４は、無線基地局１１の状態がスリープ状態に設定されている場合、無線通信部３０１、及び、通信処理部３０２、のそれぞれへの電力の供給を禁止し、且つ、有線通信部３０３、帰属情報管理部３０５、起動信号受信部３０６、及び、端末識別情報比較部３０７、のそれぞれへの電力の供給を許可する。
【００５３】
即ち、起動状態は、無線端末１０１〜１０６と、予め定められた第１の通信方式に従って任意のデータを無線通信可能な状態である。また、スリープ状態は、無線信号を受信するために必要とされる電力が第１の通信方式よりも小さい第２の通信方式に従って起動信号を受信可能であり、且つ、無線端末１０１〜１０６と第１の通信方式に従った無線通信を実行不能な状態である。
【００５４】
帰属情報管理部３０５は、無線基地局１１（自装置）に帰属（即ち、自装置が収容）している無線端末１０１〜１０６を識別するための情報（例えば、ＭＡＣ（Ｍｅｄｉｕｍ  Ａｃｃｅｓｓ  Ｃｏｎｔｒｏｌ）アドレス等）である端末識別情報と、受信信号強度値と、を含む帰属端末情報を記憶する。受信信号強度値は、当該無線端末１０１〜１０６から受信された無線信号の強度を表す値である。
【００５５】
帰属情報管理部３０５は、自装置に新たに無線端末１０１〜１０６が帰属した場合、当該無線端末１０１〜１０６を識別するための端末識別情報を含む帰属端末情報を新たに記憶する。
【００５６】
帰属情報管理部３０５は、自装置に帰属していた無線端末１０１〜１０６が、自装置に帰属しなくなった（自装置への帰属が解除された）場合、記憶している帰属端末情報のうちの、当該無線端末１０１〜１０６を識別するための端末識別情報を含む帰属端末情報を削除（消去）する。
【００５７】
また、本例では、無線基地局１１は、無線端末１０１〜１０６が自装置に帰属してから、予め設定された帰属期間が経過した場合、当該無線端末１０１〜１０６の自装置への帰属を解除する。従って、帰属情報管理部３０５は、無線端末１０１〜１０６の自装置への帰属を解除した場合も、記憶している帰属端末情報のうちの、当該無線端末１０１〜１０６を識別するための端末識別情報を含む帰属端末情報を削除する。
【００５８】
更に、帰属情報管理部３０５は、管理装置１０により送信された帰属端末情報を受信した場合、記憶している帰属端末情報を、当該受信された帰属端末情報に更新する。本例では、帰属情報管理部３０５は、先ず、記憶している帰属端末情報のすべてを消去し、その後、受信された帰属端末情報を新たに記憶する。
【００５９】
更に、帰属情報管理部３０５は、自装置の負荷である装置負荷を表す装置負荷情報を取得する。ここで、負荷は、稼働率、及び、チャネル利用率を含む。稼働率は、単位時間あたりの、無線基地局１１の状態が起動状態に設定されている時間である。また、チャネル利用率は、単位時間あたりの、無線基地局１１が無線通信を行っている時間である。なお、チャネル利用率は、非特許文献１に記載の方法により算出されてもよい。
【非特許文献１】藤本要、他７名、「Ｒａｄｉｏ−Ｏｎ−Ｄｅｍａｎｄ  Ｎｅｔｗｏｒｋｓにおける端末帰属集約を実現するための指標の検討」、電子情報通信学会２０１１年総合大会、２０１１年、Ｂ−６−１３７
【００６０】
加えて、帰属情報管理部３０５は、周辺装置情報を取得する。本例では、周辺装置情報は、周辺装置識別情報と、受信信号強度値と、を含む。周辺装置識別情報は、自装置の近傍に位置する他の無線基地局１２〜１４である周辺装置を識別するための情報（例えば、ＭＡＣアドレス等）である。受信信号強度値は、周辺装置から受信された無線信号の強度を表す値である。
【００６１】
本例では、無線基地局１１〜１４のそれぞれは、予め設定された期間において、他の無線基地局１１〜１４により送信された無線信号が受信された場合、当該無線信号の送信元である無線基地局１１〜１４を周辺装置として特定する。即ち、本例では、自装置としての無線基地局１１〜１４と無線通信を実行可能な領域内の位置が、自装置の近傍に対応している。
【００６２】
そして、無線基地局１１〜１４のそれぞれは、特定された周辺装置を識別するための情報を周辺装置識別情報として取得する。更に、無線基地局１１〜１４のそれぞれは、特定された周辺装置から受信された無線信号の強度を表す受信信号強度値を取得する。
【００６３】
更に、帰属情報管理部３０５は、自装置と無線通信を実行可能な無線端末１０１〜１０６のうちの、自装置に帰属していない無線端末１０１〜１０６を識別するための端末識別情報と、受信信号強度値と、を含む非帰属端末情報を取得し、取得された非帰属端末情報を記憶する。受信信号強度値は、当該無線端末１０１〜１０６から受信された無線信号の強度を表す値である。
【００６４】
帰属情報管理部３０５は、記憶されている非帰属端末情報により識別される無線端末１０１〜１０６との無線通信が実行不能（即ち、当該無線端末１０１〜１０６により送信された無線信号が受信不能）になった場合、当該記憶されている非帰属端末情報を消去する。
【００６５】
また、帰属情報管理部３０５は、記憶されている非帰属端末情報により識別される無線端末１０１〜１０６が、自装置に帰属した場合、当該記憶されている非帰属端末情報を消去する。
【００６６】
更に、帰属情報管理部３０５は、記憶されている、帰属端末情報、又は、非帰属端末情報により識別される無線端末１０１〜１０６以外の無線端末１０１〜１０６との無線通信が実行可能（即ち、当該無線端末１０１〜１０６により送信された無線信号が受信可能）になった場合、当該無線端末１０１〜１０６を識別するための端末識別情報を含む非帰属端末情報を新たに記憶する。
【００６７】
また、帰属情報管理部３０５は、記憶されている帰属端末情報により識別される無線端末１０１〜１０６が、自装置に帰属しなくなった場合、当該無線端末１０１〜１０６を識別するための端末識別情報を含む非帰属端末情報を新たに記憶する。
【００６８】
帰属情報管理部３０５は、帰属情報管理部３０５に記憶されている、帰属端末情報、及び、非帰属端末情報と、上記取得された、装置負荷情報、及び、周辺装置情報と、を有線通信部３０３を介して、管理装置１０へ送信する。
【００６９】
端末識別情報比較部３０７は、起動信号受信部３０６により起動信号が受信された場合、当該起動信号に含まれる端末識別情報が、帰属情報管理部３０５が記憶している帰属端末情報のいずれかと一致するか否かを判定する。
【００７０】
端末識別情報比較部３０７は、起動信号受信部３０６により起動信号が受信された場合において、当該起動信号に含まれる端末識別情報が、帰属情報管理部３０５が記憶している帰属端末情報のいずれかと一致するとき、起動指示を電源制御部３０４へ出力する。
【００７１】
一方、端末識別情報比較部３０７は、起動信号受信部３０６により起動信号が受信された場合であっても、当該起動信号に含まれる端末識別情報が、帰属情報管理部３０５が記憶している帰属端末情報のいずれとも一致しないとき、起動指示を電源制御部３０４へ出力しない。
【００７２】
また、電源制御部３０４は、起動状態とスリープ状態とのいずれかに無線基地局１１の状態を設定する。
【００７３】
更に、電源制御部３０４は、無線基地局１１の状態が起動状態に設定されている場合において、予め定められたスリープ条件が成立したとき、無線基地局１１の状態をスリープ状態へ変更する。例えば、スリープ条件は、現時点よりも、予め設定された第１の閾値時間だけ前の時点から、現時点までの間に、通信が行われていない、という条件である。
【００７４】
加えて、電源制御部３０４は、無線基地局１１の状態がスリープ状態に設定されている場合において、端末識別情報比較部３０７により起動指示が出力されたとき、無線基地局１１の状態を起動状態へ変更する。
【００７５】
本例では、無線基地局１１は、無線通信部３０１、及び、起動信号受信部３０６のそれぞれと接続されたアンテナを１つ備える。無線通信部３０１は、無線基地局１１の状態が起動状態に設定されている場合、アンテナを介して無線信号を送受信する。また、起動信号受信部３０６は、無線基地局１１の状態がスリープ状態に設定されている場合、アンテナを介して起動信号を受信する。
【００７６】
なお、無線基地局１１は、無線通信部３０１と接続された第１のアンテナと、起動信号受信部３０６と接続された第２のアンテナと、を備えていてもよい。
【００７７】
次に、管理装置１０について、より詳細に説明する。
図４に示したように、管理装置１０は、有線通信部４０１と、情報取得部４０２と、情報記憶部４０３と、帰属先装置決定部４０４と、帰属端末情報送信部４０５と、を備える。なお、情報取得部４０２、及び、帰属先装置決定部４０４は、負荷情報取得手段の一部を構成している。また、帰属先装置決定部４０４、及び、帰属端末情報送信部４０５は、帰属先装置変更手段の一部を構成している。
【００７８】
有線通信部４０１は、有線通信（本例では、通信ケーブルＮＣを介した通信）を実行するように構成される。有線通信部４０１は、無線基地局１１〜１４のそれぞれと通信可能に構成される。
【００７９】
情報取得部４０２は、無線基地局１１〜１４により送信された、帰属端末情報、非帰属端末情報、装置負荷情報、及び、周辺装置情報を、有線通信部４０１を介して受信（取得）する。
【００８０】
情報記憶部４０３は、情報取得部４０２により取得された、帰属端末情報、非帰属端末情報、装置負荷情報、及び、周辺装置情報を記憶する。
本例では、情報記憶部４０３は、図５に示した周辺装置テーブルと、図６に示した装置負荷テーブルと、図７に示した帰属端末テーブルと、を記憶する。
【００８１】
周辺装置テーブルは、無線基地局ＩＤと、周辺無線基地局ＩＤと、受信信号強度値と、を対応付けたテーブルである。即ち、情報記憶部４０３は、周辺装置情報の送信元としての無線基地局１１〜１４を識別するための装置識別情報である無線基地局ＩＤと、当該周辺装置情報に含まれる周辺装置識別情報である周辺無線基地局ＩＤと、当該周辺装置情報に含まれる受信信号強度値と、を対応付けて記憶する。
【００８２】
また、装置負荷テーブルは、無線基地局ＩＤと、稼働率と、チャネル利用率と、を対応付けたテーブルである。即ち、情報記憶部４０３は、装置負荷情報の送信元としての無線基地局１１〜１４を識別するための装置識別情報である無線基地局ＩＤと、当該装置負荷情報が表す稼働率と、当該装置負荷情報が表すチャネル利用率と、を対応付けて記憶する。
【００８３】
また、帰属端末テーブルは、無線端末ＩＤと、無線基地局ＩＤと、帰属フラグと、受信信号強度値と、を対応付けたテーブルである。即ち、情報記憶部４０３は、帰属端末情報に含まれる端末識別情報である無線端末ＩＤと、当該帰属端末情報の送信元としての無線基地局１１〜１４を識別するための装置識別情報である無線基地局ＩＤと、真である帰属フラグと、当該帰属端末情報に含まれる受信信号強度値と、を対応付けて記憶する。
【００８４】
更に、情報記憶部４０３は、非帰属端末情報に含まれる端末識別情報である無線端末ＩＤと、当該非帰属端末情報の送信元としての無線基地局１１〜１４を識別するための装置識別情報である無線基地局ＩＤと、偽である帰属フラグと、当該非帰属端末情報に含まれる受信信号強度値と、を対応付けて記憶する。
【００８５】
帰属先装置決定部４０４は、情報記憶部４０３が記憶している、周辺装置テーブル、装置負荷テーブル、及び、帰属端末テーブルに基づいて、無線端末１０１〜１０６が帰属する無線基地局１１〜１４（帰属先装置）を決定する。
【００８６】
本例では、帰属先装置決定部４０４は、先ず、図８に示したように、帰属変更テーブルを生成する。帰属変更テーブルは、無線基地局ＩＤと、変更情報と、を対応付けたテーブルである。変更情報は、分散を表す情報、集約を表す情報、又は、維持を表す情報である。
【００８７】
変更情報が分散を表す情報であることは、当該変更情報と対応付けられた無線基地局ＩＤにより識別される無線基地局１１〜１４（対象装置）に帰属している無線端末１０１〜１０６の帰属先装置を周辺装置へ変更することを表す。変更情報が集約を表す情報であることは、周辺装置に帰属している無線端末１０１〜１０６の帰属先装置を対象装置へ変更可能であることを表す。変更情報が維持を表す情報であることは、対象装置に帰属している無線端末１０１〜１０６の帰属先装置を変更しないことを表す。
【００８８】
具体的には、先ず、帰属先装置決定部４０４は、複数の無線基地局１１〜１４のそれぞれに対して、周辺負荷情報を取得する。周辺負荷情報は、当該周辺負荷情報の対象となる無線基地局１１〜１４（対象装置）の近傍に位置する他の無線基地局１１〜１４である周辺装置の負荷である周辺負荷を表す情報である。本例では、周辺負荷は、周辺装置のそれぞれの負荷を平均した値である。
【００８９】
即ち、帰属先装置決定部４０４は、ある無線基地局ＩＤにより識別される無線基地局１１〜１４（対象装置）に対する周辺負荷情報として、当該無線基地局ＩＤと、周辺装置テーブルにて対応付けられた周辺無線基地局ＩＤのそれぞれと装置負荷テーブルにて対応付けられた負荷を平均した値を表す情報を取得する。
【００９０】
帰属先装置決定部４０４は、複数の無線基地局１１〜１４のそれぞれに対して、当該無線基地局１１〜１４（対象装置）に対して取得された、装置負荷情報、及び、周辺負荷情報に基づいて、対象装置に対する変更情報を取得する。
【００９１】
本例では、帰属先装置決定部４０４は、第１の条件、又は、第２の条件が成立した場合、分散を表す情報を変更情報として取得する。また、帰属先装置決定部４０４は、第３の条件、又は、第４の条件が成立した場合、集約を表す情報を変更情報として取得する。また、帰属先装置決定部４０４は、第１の条件〜第４の条件のいずれも成立しない場合、維持を表す情報を変更情報として取得する。
【００９２】
第１の条件は、装置負荷情報が表す装置負荷が、予め設定された第１の閾値負荷よりも大きく、且つ、周辺負荷情報が表す周辺負荷が、予め設定された第２の閾値負荷よりも小さい、という条件である。
【００９３】
また、第２の条件は、装置負荷情報が表す装置負荷が、予め設定された第３の閾値負荷よりも小さく、且つ、当該装置負荷が、周辺負荷情報が表す周辺負荷よりも小さい、という条件である。ここで、第３の閾値負荷は、第１の閾値負荷以下の値に設定される。
【００９４】
また、第３の条件は、装置負荷情報が表す装置負荷が、予め設定された第４の閾値負荷よりも小さく、且つ、周辺負荷情報が表す周辺負荷が、予め設定された第５の閾値負荷よりも大きい、という条件である。
【００９５】
また、第４の条件は、装置負荷情報が表す装置負荷が、予め設定された第６の閾値負荷よりも小さく、且つ、当該装置負荷が、周辺負荷情報が表す周辺負荷よりも大きい、という条件である。
【００９６】
本例では、第１の閾値負荷〜第６の閾値負荷は、同一の値に設定される。なお、第１の閾値負荷〜第６の閾値負荷は、異なる値に設定されていてもよい。
【００９７】
本例では、装置負荷Ｌ、及び、周辺負荷Ｌｎ、に対して取得される変更情報は、図９に示した通りである。ここで、Ｌｓは、第１の閾値負荷〜第６の閾値負荷の値である。
【００９８】
そして、帰属先装置決定部４０４は、対象装置としての無線基地局１１〜１４を識別するための無線基地局ＩＤと、当該対象装置に対して取得された変更情報と、を対応付けた帰属変更テーブルを生成する。
【００９９】
本例では、帰属先装置決定部４０４は、帰属変更テーブルを生成するための負荷として、稼働率のみを用いる。なお、帰属先装置決定部４０４は、帰属変更テーブルを生成するための負荷として、チャネル利用率のみを用いてもよい。また、帰属先装置決定部４０４は、帰属変更テーブルを生成するための負荷として、稼働率、及び、チャネル利用率の重み付け平均値等を用いてもよい。
【０１００】
次いで、帰属先装置決定部４０４は、生成された帰属変更テーブルと、情報記憶部４０３が記憶している、装置負荷テーブル、及び、帰属端末テーブルと、に基づいて、複数の無線端末１０１〜１０６のそれぞれが帰属する無線基地局１１〜１４（帰属先装置）を決定する。
【０１０１】
本例では、帰属先装置決定部４０４は、複数の無線端末１０１〜１０６のそれぞれに対して、帰属先装置決定処理を実行することにより帰属先装置を決定する。
【０１０２】
帰属先装置決定処理は、先ず、帰属先装置決定処理の対象となる無線端末１０１〜１０６（対象端末）が帰属している無線基地局１１〜１４を特定する。
【０１０３】
そして、帰属先装置決定処理は、特定された無線基地局１１〜１４と帰属変更テーブルにおいて対応付けられている変更情報を取得する。次いで、帰属先装置決定処理は、取得された変更情報が分散を表す情報以外の情報である場合、上記特定された無線基地局１１〜１４を対象端末に対する帰属先装置として決定する（即ち、帰属先装置を変更しない）。
【０１０４】
一方、帰属先装置決定処理は、取得された変更情報が分散を表す情報である場合、上記特定された無線基地局１１〜１４に対する周辺装置のうちの、対象端末が無線通信を実行可能な周辺装置を抽出する。更に、帰属先装置決定処理は、抽出された周辺装置の中から、集約を表す変更情報と帰属変更テーブルにおいて対応付けられた無線基地局ＩＤにより識別される周辺装置を抽出する。そして、帰属先装置決定処理は、抽出された周辺装置の中から、１つの周辺装置を選択する。
【０１０５】
具体的には、帰属先装置決定処理は、稼働時チャネル可用率が最高である周辺装置を選択する。稼働時チャネル可用率は、周辺装置のうちの、単位時間あたりの、当該周辺装置の状態が起動状態に設定されている時間から、当該周辺装置が無線通信を行っている時間を減じた時間である。即ち、稼働時チャネル可用率Ｃｒは、稼働率Ｒからチャネル利用率Ｃを減じた値である。
【０１０６】
これによれば、変更後の帰属先装置の状態が起動状態に設定される時間が長くなる可能性を低減することができる。
【０１０７】
なお、帰属先装置決定処理は、チャネル利用率が最高である周辺装置を選択するように構成されていてもよい。
これによれば、無線通信装置の状態がスリープ状態に設定される時間が長くなる可能性を高めることができる。
【０１０８】
また、帰属先装置決定処理は、稼働率、及び、チャネル利用率を重み付け平均した値等に基づいて、１つの周辺装置を選択するように構成されていてもよい。
【０１０９】
そして、帰属先装置決定処理は、選択された周辺装置を対象端末に対する帰属先装置として決定する（即ち、帰属先装置を変更する）。
【０１１０】
そして、帰属先装置決定部４０４は、変更後帰属テーブルを生成する。変更後帰属テーブルは、図１０に示したように、無線基地局ＩＤと、無線端末ＩＤと、を対応付けたテーブルである。具体的には、帰属先装置決定部４０４は、対象端末を識別するための端末識別情報である無線端末ＩＤと、当該対象端末に対して決定された帰属先装置を識別するための装置識別情報である無線基地局ＩＤと、を対応付けることにより変更後帰属テーブルを生成する。
【０１１１】
帰属端末情報送信部４０５は、帰属先装置決定部４０４により生成された変更後帰属テーブルに基づいて、帰属端末情報を無線基地局１１〜１４へ、有線通信部４０１を介して送信する。具体的には、帰属端末情報送信部４０５は、変更後帰属テーブルに含まれる無線基地局ＩＤにより識別される無線基地局１１〜１４へ、当該無線基地局ＩＤと対応付けられた無線端末ＩＤを含む帰属端末情報を送信する。
【０１１２】
このように、無線基地局１１は、複数の無線基地局１１〜１４のそれぞれに対して、当該無線基地局１１〜１４の負荷である装置負荷を表す装置負荷情報と、当該無線基地局１１〜１４の近傍に位置する他の無線基地局１１〜１４である周辺装置の負荷である周辺負荷を表す周辺負荷情報と、を取得する。更に、無線基地局１１は、取得された装置負荷情報及び周辺負荷情報に基づいて、無線端末１０１〜１０６が帰属する無線基地局１１〜１４である帰属先装置を変更する。
【０１１３】
（作動）
次に、上述した無線通信システム１の作動について、図１１に示したシーケンス図を参照しながら説明する。なお、ここでは、管理装置１０及び無線基地局１１の作動について説明するが、無線基地局１１以外の無線基地局１２〜１４も無線基地局１１と同様に作動する。
【０１１４】
無線基地局１１は、先ず、装置負荷情報、及び、周辺装置情報を取得する（ステップＳ１０１）。そして、無線基地局１１は、記憶している、帰属端末情報、及び、非帰属端末情報と、取得された、装置負荷情報、及び、周辺装置情報と、を管理装置１０へ送信する（ステップＳ１０２）。本例では、無線基地局１１は、予め設定された送信周期が経過する毎に、ステップＳ１０１〜ステップＳ１０２の処理を実行する。
【０１１５】
管理装置１０は、無線基地局１１により送信された、帰属端末情報、非帰属端末情報、装置負荷情報、及び、周辺装置情報を受信する。そして、管理装置１０は、受信した情報に基づいて周辺負荷情報を取得し、取得された周辺負荷情報と、装置負荷情報と、周辺装置情報と、に基づいて、図８に示したように、帰属変更テーブルを生成する（ステップＳ１０３）。
【０１１６】
次いで、管理装置１０は、生成された帰属変更テーブルと、装置負荷情報と、帰属端末情報と、非帰属端末情報と、に基づいて、複数の無線端末１０１〜１０６のそれぞれが帰属する無線基地局１１〜１４（帰属先装置）を決定する（ステップＳ１０４）。
【０１１７】
そして、管理装置１０は、複数の無線端末１０１〜１０６のそれぞれに対して、当該無線端末１０１〜１０６を識別するための端末識別情報である無線端末ＩＤと、当該無線端末１０１〜１０６に対して決定された帰属先装置を識別するための装置識別情報である無線基地局ＩＤと、を対応付けることにより、図１０に示したように、変更後帰属テーブルを生成する（ステップＳ１０５）。
【０１１８】
その後、管理装置１０は、生成された変更後帰属テーブルに含まれる無線基地局ＩＤにより識別される無線基地局１１〜１４へ、当該無線基地局ＩＤと対応付けられた無線端末ＩＤを含む帰属端末情報を送信する（ステップＳ１０６）。
【０１１９】
これにより、無線基地局１１は、管理装置１０から帰属端末情報を受信する。無線基地局１１は、記憶している帰属端末情報を、受信された帰属端末情報に更新する（ステップＳ１０７）。
【０１２０】
従って、以降の時点においては、無線基地局１１は、受信された帰属端末情報により識別される無線端末１０１〜１０６から起動信号を受信した場合、無線基地局１１の状態をスリープ状態から起動状態へ変更する。
【０１２１】
以上、説明したように、第１実施形態に係る無線通信システム１によれば、無線端末１０１〜１０６に対して、無線基地局１１〜１４の負荷に応じた適切な帰属先装置を設定することができる。これにより、無線基地局１１〜１４の負荷が過大となることを防止することができる。また、無線基地局１１〜１４の状態がスリープ状態に設定される時間が長くなる可能性を高めることができる。この結果、無線基地局１１〜１４が消費する電力の量を低減することができる。
【０１２２】
更に、第１実施形態に係る無線通信システム１において、無線基地局１１〜１４は、状態がスリープ状態である場合において、記憶されている帰属端末情報を含む起動信号を受信したとき、状態を起動状態へ変更するように構成される。更に、無線通信システム１は、複数の無線基地局１１〜１４のそれぞれに対して、当該無線基地局１１〜１４が記憶している帰属端末情報を、当該無線基地局１１〜１４が変更後の帰属先装置である無線端末１０１〜１０６を識別するための端末識別情報に更新する。
【０１２３】
これによれば、無線端末１０１〜１０６が起動信号を送信する時点にて、変更後の帰属先装置の状態を起動状態に設定することができる。これにより、無線基地局１１〜１４の状態が無駄に起動状態に設定されることを回避することができる。また、無線端末１０１〜１０６が記憶している情報を変更することなく、帰属先装置を変更することができる。従って、帰属先装置を容易に変更することができる。
【０１２４】
加えて、第１実施形態に係る無線通信システム１において、無線基地局１１〜１４に対する装置負荷が第１の閾値負荷よりも大きく、且つ、当該無線基地局１１〜１４に対する周辺負荷が第２の閾値負荷よりも小さい場合、当該無線基地局１１〜１４に帰属している無線端末１０１〜１０６の少なくとも一部の帰属先装置を、当該無線基地局１１〜１４に対する周辺装置へ変更する。
【０１２５】
これによれば、無線基地局１１〜１４の負荷が過大となることを回避することができる。従って、無線基地局１１〜１４と無線端末１０１〜１０６との間の無線通信の品質が低下することを防止することができる。
【０１２６】
更に、第１実施形態に係る無線通信システム１において、無線基地局１１〜１４に対する装置負荷が第３の閾値負荷よりも小さく、且つ、当該装置負荷が当該無線基地局１１〜１４に対する周辺負荷よりも小さい場合、当該無線基地局１１〜１４に帰属している無線端末１０１〜１０６の少なくとも一部の帰属先装置を、当該無線基地局１１〜１４に対する周辺装置へ変更する。
【０１２７】
これによれば、無線基地局１１〜１４の状態がスリープ状態に設定される時間が長くなる可能性を高めることができる。この結果、無線基地局１１〜１４が消費する電力の量を低減することができる。
【０１２８】
加えて、第１実施形態に係る無線通信システム１において、無線基地局１１〜１４に対する装置負荷が第４の閾値負荷よりも小さく、且つ、当該無線基地局１１〜１４に対する周辺負荷が第５の閾値負荷よりも大きい場合、当該無線基地局１１〜１４に対する周辺装置に帰属している無線端末１０１〜１０６の少なくとも一部の帰属先装置を、当該無線基地局１１〜１４へ変更する。
【０１２９】
これによれば、周辺装置の負荷が過大となることを回避することができる。従って、周辺装置と無線端末１０１〜１０６との間の無線通信の品質が低下することを防止することができる。
【０１３０】
更に、第１実施形態に係る無線通信システム１において、無線基地局１１〜１４に対する装置負荷が第６の閾値負荷よりも小さく、且つ、当該装置負荷が当該無線基地局１１〜１４に対する周辺負荷よりも大きい場合、当該無線基地局１１〜１４に対する周辺装置に帰属している無線端末１０１〜１０６の少なくとも一部の帰属先装置を、当該無線基地局１１〜１４へ変更する。
【０１３１】
これによれば、周辺装置の状態がスリープ状態に設定される時間が長くなる可能性を高めることができる。この結果、周辺装置が消費する電力の量を低減することができる。
【０１３２】
なお、第１実施形態に係る無線通信システム１は、無線基地局１１〜１４が、帰属端末情報、及び、非帰属端末情報を管理装置１０へ送信するように構成されていた。ところで、第１実施形態の変形例に係る無線通信システム１は、無線基地局１１〜１４が、帰属端末情報、及び、非帰属端末情報を送信せず、且つ、無線端末１０１〜１０６が、帰属している無線基地局１１〜１４を識別するための情報、及び、無線通信を実行可能であり且つ帰属していない無線基地局１１〜１４を識別するための情報を管理装置１０へ送信するように構成されていてもよい。
【０１３３】
また、第１実施形態に係る無線通信システム１は、帰属端末情報として端末識別情報を用いるように構成されていたが、端末識別情報を予め定められた方式に従って変換した情報（例えば、ハッシュ関数等により変換した情報）を帰属端末情報として用いるように構成されていてもよい。この場合、無線端末１０１〜１０６は、上記方式に従って端末識別情報を変換した情報を含む起動信号を送信するように構成されることが好適である。
【０１３４】
なお、第１実施形態の変形例に係る管理装置１０は、無線基地局１１〜１４に帰属する無線端末１０１〜１０６のそれぞれのチャネル利用率の和を、当該無線基地局１１〜１４のチャネル利用率として推定するように構成されていてもよい。なお、非特許文献２において、この方法を用いることにより、無線基地局のチャネル利用率が高い精度にて推定されることが開示されている。
【非特許文献２】行衛秀明、他７名、「Ｒａｄｉｏ−Ｏｎ−Ｄｅｍａｎｄ  Ｎｅｔｗｏｒｋｓにおける端末帰属集約の可能性に関する検討」、電子情報通信学会２０１１年総合大会、２０１１年、Ｂ−６−１３８
【０１３５】
この場合、管理装置１０は、無線端末１０１〜１０６に対して決定された帰属先装置が、変更後において、単位時間あたりに無線通信を行う時間であるチャネル利用率を推定し、当該推定されたチャネル利用率が１（即ち、１００％）よりも大きい場合、当該変更を行わないように構成されることが好適である。
【０１３６】
これによれば、変更後の帰属先装置のチャネル利用率が過大となることを回避することができる。
【０１３７】
また、第１実施形態の変形例に係る管理装置１０は、帰属変更テーブルにおいて、分散を表す変更情報と対応付けられた無線基地局ＩＤにより識別される無線基地局１１〜１４に帰属している無線端末１０１〜１０６の一部の無線端末１０１〜１０６のみに対して、帰属先装置を変更するように構成されていてもよい。この場合、管理装置１０は、帰属先装置が変更される無線端末１０１〜１０６をランダムに選択してもよい。
【０１３８】
これによれば、帰属先装置が変更される無線端末１０１〜１０６の数が過大となることを回避することができる。
【０１３９】
なお、第１実施形態の変形例に係る無線基地局１１は、無線基地局１１の状態がスリープ状態に設定されている場合、有線通信部３０３への電力の供給も禁止するように構成されていてもよい。この場合、無線基地局１１は、有線通信部３０３が予め設定された起動用信号を受信することにより、有線通信部３０３への電力の供給を再開するＷａｋｅ−ｏｎ−ＬＡＮ等の機能を有するように構成されることが好適である。
【０１４０】
＜第２実施形態＞
次に、本発明の第２実施形態に係る無線通信システムについて説明する。第２実施形態に係る無線通信システムは、上記第１実施形態に係る無線通信システムに対して、管理装置を備えない点において相違している。従って、以下、かかる相違点を中心として説明する。
【０１４１】
図１２に示したように、第２実施形態に係る無線通信システム１は、第１実施形態に係る無線通信システム１から管理装置１０を除いた構成を有する。
【０１４２】
第２実施形態に係る無線基地局１１は、第１実施形態に係る無線基地局１１の機能に加えて、第１実施形態に係る管理装置１０の機能も有する。また、第２実施形態に係る、無線基地局１１以外の無線基地局１２〜１４も、無線基地局１１と同様の機能を有する。
【０１４３】
具体的には、第２実施形態に係る無線基地局１１は、図１３に示したように、第１実施形態に係る無線基地局１１が備える構成に加えて、負荷情報取得部（負荷情報取得手段）３０８と、帰属先装置変更部（帰属先装置変更手段）３０９と、を備える。
【０１４４】
無線基地局１１は、自装置に帰属している無線端末１０１〜１０６のそれぞれに対して、帰属先装置を決定するように構成される。即ち、負荷情報取得部３０８は、自装置に対する装置負荷情報を取得する。更に、負荷情報取得部３０８は、自装置に対する周辺装置のそれぞれから、装置負荷情報、帰属端末情報、及び、非帰属端末情報を受信する。負荷情報取得部３０８は、受信された装置負荷情報に基づいて周辺負荷情報を取得する。
【０１４５】
帰属先装置変更部３０９は、負荷情報取得部３０８により取得された、装置負荷情報、及び、周辺負荷情報に基づいて、自装置に対する変更情報を取得する。更に、帰属先装置変更部３０９は、取得された変更情報を周辺装置へ送信するとともに、周辺装置から当該周辺装置に対する変更情報を受信する。
【０１４６】
そして、帰属先装置変更部３０９は、自装置、及び、周辺装置のそれぞれに対する、変更情報、帰属端末情報、非帰属端末情報、及び、装置負荷情報に基づいて、自装置に帰属している無線端末１０１〜１０６に対する帰属先装置を決定する。
【０１４７】
そして、帰属先装置変更部３０９は、ある無線端末１０１〜１０６に対して決定された帰属先装置が周辺装置である場合、当該周辺装置へ、当該無線端末１０１〜１０６を識別するための端末識別情報を帰属端末情報として送信する。
【０１４８】
このようにして、第２実施形態に係る無線通信システム１も、第１実施形態に係る無線通信システム１と同様に作動することができる。この結果、第２実施形態に係る無線通信システム１も、第１実施形態に係る無線通信システム１と同様の作用及び効果を奏することができる。
【０１４９】
＜第３実施形態＞
次に、本発明の第３実施形態に係る無線通信システムについて図１４を参照しながら説明する。
第３実施形態に係る無線通信システム１０００は、複数の無線通信端末と、当該無線通信端末と無線通信を実行可能に構成された複数の無線通信装置と、を備えるシステムである。
【０１５０】
更に、上記複数の無線通信装置のそれぞれは、
当該無線通信装置に帰属している無線通信端末との間の無線通信を許可するように構成され、
上記無線通信端末と、予め定められた第１の通信方式に従って任意のデータを無線通信可能な状態である起動状態と、無線信号を受信するために必要とされる電力が上記第１の通信方式よりも小さい第２の通信方式に従って起動信号を受信可能であり且つ上記無線通信端末と当該第１の通信方式に従った無線通信を実行不能な状態であるスリープ状態と、のいずれかに当該無線通信装置の状態を設定するように構成される。
【０１５１】
更に、上記無線通信システム１０００は、
上記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得する負荷情報取得部（負荷情報取得手段）１００１と、
上記取得された装置負荷情報及び周辺負荷情報に基づいて、上記無線通信端末が帰属する上記無線通信装置である帰属先装置を変更する帰属先装置変更部（帰属先装置変更手段）１００２と、
を備える。
【０１５２】
これによれば、無線通信端末に対して、無線通信装置の負荷に応じた適切な帰属先装置を設定することができる。これにより、例えば、無線通信装置の負荷が過大となることを防止することができる。また、例えば、無線通信装置の状態がスリープ状態に設定される時間が長くなる可能性を高めることができる。この結果、無線通信装置が消費する電力の量を低減することができる。
【０１５３】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１５４】
なお、上記各実施形態において、管理装置１０、無線基地局１１〜１４、及び、無線端末１０１〜１０６の各機能は、回路等のハードウェアにより実現されていた。ところで、管理装置１０、無線基地局１１〜１４、及び、無線端末１０１〜１０６のそれぞれは、処理装置と、プログラム（ソフトウェア）を記憶する記憶装置と、を備えるとともに、処理装置がそのプログラムを実行することにより、各機能を実現するように構成されていてもよい。
【０１５５】
この場合、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１５６】
また、上記実施形態の他の変形例として、上述した実施形態及び変形例の任意の組み合わせが採用されてもよい。
【０１５７】
＜付記＞
上記実施形態の一部又は全部は、以下の付記のように記載され得るが、以下には限られない。
【０１５８】
（付記１）
複数の無線通信端末と、当該無線通信端末と無線通信を実行可能に構成された複数の無線通信装置と、を備える無線通信システムであって、
前記複数の無線通信装置のそれぞれは、
当該無線通信装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに当該無線通信装置の状態を設定するように構成され、
前記無線通信システムは、
前記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得する負荷情報取得手段と、
前記取得された装置負荷情報及び周辺負荷情報に基づいて、前記無線通信端末が帰属する前記無線通信装置である帰属先装置を変更する帰属先装置変更手段と、
を備える無線通信システム。
【０１５９】
これによれば、無線通信端末に対して、無線通信装置の負荷に応じた適切な帰属先装置を設定することができる。これにより、例えば、無線通信装置の負荷が過大となることを防止することができる。また、例えば、無線通信装置の状態がスリープ状態に設定される時間が長くなる可能性を高めることができる。この結果、無線通信装置が消費する電力の量を低減することができる。
【０１６０】
（付記２）
付記１に記載の無線通信システムであって、
前記複数の無線通信装置のそれぞれは、
当該無線通信装置の状態を前記起動状態に変更可能な無線通信端末を識別するための端末識別情報を記憶するように構成され、
当該無線通信装置の状態が前記スリープ状態である場合において、前記記憶されている端末識別情報を含む前記起動信号を受信したとき、当該無線通信装置の状態を前記起動状態へ変更するように構成され、
前記複数の無線通信端末のそれぞれは、
当該無線通信端末を識別するための端末識別情報を含む前記起動信号を送信するように構成され、
前記帰属先装置変更手段は、
前記複数の無線通信装置のそれぞれに対して、当該無線通信装置が記憶している端末識別情報を、当該無線通信装置が前記帰属先装置である無線通信端末を識別するための端末識別情報に更新するように構成された無線通信システム。
【０１６１】
これによれば、無線通信端末が起動信号を送信する時点にて、変更後の帰属先装置の状態を起動状態に設定することができる。これにより、無線通信装置の状態が無駄に起動状態に設定されることを回避することができる。また、無線通信端末が記憶している情報を変更することなく、帰属先装置を変更することができる。従って、帰属先装置を容易に変更することができる。
【０１６２】
（付記３）
付記１又は付記２に記載の無線通信システムであって、
前記帰属先装置変更手段は、
前記無線通信装置に対して取得された装置負荷情報が表す装置負荷が、予め設定された第１の閾値負荷よりも大きく、且つ、当該無線通信装置に対して取得された周辺負荷情報が表す周辺負荷が、予め設定された第２の閾値負荷よりも小さい場合、当該無線通信装置に帰属している無線通信端末の少なくとも一部の帰属先装置を、当該無線通信装置に対する周辺装置へ変更するように構成された無線通信システム。
【０１６３】
これによれば、無線通信装置の負荷が過大となることを回避することができる。従って、無線通信装置と無線通信端末との間の無線通信の品質が低下することを防止することができる。
【０１６４】
（付記４）
付記１乃至付記３のいずれかに記載の無線通信システムであって、
前記帰属先装置変更手段は、
前記無線通信装置に対して取得された装置負荷情報が表す装置負荷が、予め設定された第３の閾値負荷よりも小さく、且つ、当該装置負荷が、当該無線通信装置に対して取得された周辺負荷情報が表す周辺負荷よりも小さい場合、当該無線通信装置に帰属している無線通信端末の少なくとも一部の帰属先装置を、当該無線通信装置に対する周辺装置へ変更するように構成された無線通信システム。
【０１６５】
これによれば、無線通信装置の状態がスリープ状態に設定される時間が長くなる可能性を高めることができる。この結果、無線通信装置が消費する電力の量を低減することができる。
【０１６６】
（付記５）
付記１乃至付記４のいずれかに記載の無線通信システムであって、
前記帰属先装置変更手段は、
前記無線通信装置に対して取得された装置負荷情報が表す装置負荷が、予め設定された第４の閾値負荷よりも小さく、且つ、当該無線通信装置に対して取得された周辺負荷情報が表す周辺負荷が、予め設定された第５の閾値負荷よりも大きい場合、当該無線通信装置に対する周辺装置に帰属している無線通信端末の少なくとも一部の帰属先装置を、当該無線通信装置へ変更するように構成された無線通信システム。
【０１６７】
これによれば、周辺装置の負荷が過大となることを回避することができる。従って、周辺装置と無線通信端末との間の無線通信の品質が低下することを防止することができる。
【０１６８】
（付記６）
付記１乃至付記５のいずれかに記載の無線通信システムであって、
前記帰属先装置変更手段は、
前記無線通信装置に対して取得された装置負荷情報が表す装置負荷が、予め設定された第６の閾値負荷よりも小さく、且つ、当該装置負荷が、当該無線通信装置に対して取得された周辺負荷情報が表す周辺負荷よりも大きい場合、当該無線通信装置に対する周辺装置に帰属している無線通信端末の少なくとも一部の帰属先装置を、当該無線通信装置へ変更するように構成された無線通信システム。
【０１６９】
これによれば、周辺装置の状態がスリープ状態に設定される時間が長くなる可能性を高めることができる。この結果、周辺装置が消費する電力の量を低減することができる。
【０１７０】
（付記７）
付記１乃至付記６のいずれかに記載の無線通信システムであって、
前記周辺負荷は、前記周辺装置のそれぞれの負荷を平均した値である無線通信システム。
【０１７１】
（付記８）
付記１乃至付記７のいずれかに記載の無線通信システムであって、
前記負荷は、単位時間あたりの、前記無線通信装置の状態が前記起動状態に設定されている時間である稼働率、及び、単位時間あたりの、前記無線通信装置が無線通信を行っている時間であるチャネル利用率、の少なくとも１つを含む無線通信システム。
【０１７２】
（付記９）
付記１乃至付記８のいずれかに記載の無線通信システムであって、
前記帰属先装置変更手段は、
前記周辺装置のうちの、単位時間あたりの、当該周辺装置の状態が前記起動状態に設定されている時間から、当該周辺装置が無線通信を行っている時間を減じた時間である稼働時チャネル可用率が最高である周辺装置を前記変更後の帰属先装置として決定するように構成された無線通信システム。
【０１７３】
これによれば、変更後の帰属先装置の状態が起動状態に設定される時間が長くなる可能性を低減することができる。
【０１７４】
（付記１０）
付記１乃至付記８のいずれかに記載の無線通信システムであって、
前記帰属先装置変更手段は、
前記周辺装置のうちの、単位時間あたりの、当該周辺装置が無線通信を行っている時間であるチャネル利用率が最高である周辺装置を前記変更後の帰属先装置として決定するように構成された無線通信システム。
【０１７５】
これによれば、無線通信装置の状態がスリープ状態に設定される時間が長くなる可能性を高めることができる。
【０１７６】
（付記１１）
付記１乃至付記１０のいずれかに記載の無線通信システムであって、
前記帰属先装置変更手段は、
前記変更後の帰属先装置を決定し、当該決定された帰属先装置が、当該変更後において、単位時間あたりに無線通信を行う時間であるチャネル利用率を推定し、当該推定されたチャネル利用率が１よりも大きい場合、当該変更を行わないように構成された無線通信システム。
【０１７７】
これによれば、変更後の帰属先装置のチャネル利用率が過大となることを回避することができる。
【０１７８】
（付記１２）
付記１乃至付記１１のいずれかに記載の無線通信システムであって、
前記帰属先装置変更手段は、１つの無線通信装置に帰属している無線通信端末の一部の無線通信端末に対して、前記帰属先装置を変更するように構成された無線通信システム。
【０１７９】
これによれば、帰属先装置が変更される無線通信端末の数が過大となることを回避することができる。
【０１８０】
（付記１３）
複数の無線通信端末と、当該無線通信端末と無線通信を実行可能に構成された複数の無線通信装置と、を備える無線通信システムに適用される無線通信方法であって、
前記複数の無線通信装置のそれぞれは、
当該無線通信装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに当該無線通信装置の状態を設定するように構成され、
前記無線通信方法は、
前記複数の無線通信装置のそれぞれに対して、当該無線通信装置の負荷である装置負荷を表す装置負荷情報と、当該無線通信装置の近傍に位置する他の無線通信装置である周辺装置の負荷である周辺負荷を表す周辺負荷情報と、を取得し、
前記取得された装置負荷情報及び周辺負荷情報に基づいて、前記無線通信端末が帰属する前記無線通信装置である帰属先装置を変更する、無線通信方法。
【０１８１】
（付記１４）
付記１３に記載の無線通信方法であって、
前記複数の無線通信装置のそれぞれは、
当該無線通信装置の状態を前記起動状態に変更可能な無線通信端末を識別するための端末識別情報を記憶するように構成され、
当該無線通信装置の状態が前記スリープ状態である場合において、前記記憶されている端末識別情報を含む前記起動信号を受信したとき、当該無線通信装置の状態を前記起動状態へ変更するように構成され、
前記複数の無線通信端末のそれぞれは、
当該無線通信端末を識別するための端末識別情報を含む前記起動信号を送信するように構成され、
前記無線通信方法は、
前記複数の無線通信装置のそれぞれに対して、当該無線通信装置が記憶している端末識別情報を、当該無線通信装置が前記帰属先装置である無線通信端末を識別するための端末識別情報に更新する、無線通信方法。
【０１８２】
（付記１５）
無線通信端末と無線通信を実行可能に構成された無線通信装置であって、
当該無線通信装置である自装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに前記自装置の状態を設定するように構成され、
前記自装置の負荷である装置負荷を表す装置負荷情報と、当該自装置の近傍に位置する他の無線通信装置である周辺装置の負荷である周辺負荷を表す周辺負荷情報と、を取得する負荷情報取得手段と、
前記取得された装置負荷情報及び周辺負荷情報に基づいて、前記無線通信端末が帰属する無線通信装置である帰属先装置を変更する帰属先装置変更手段と、
を備える無線通信装置。
【０１８３】
（付記１６）
付記１５に記載の無線通信装置であって、
前記自装置の状態を前記起動状態に変更可能な無線通信端末を識別するための端末識別情報を記憶するように構成され、
前記自装置の状態が前記スリープ状態である場合において、前記記憶されている端末識別情報を含む前記起動信号を受信したとき、当該自装置の状態を前記起動状態へ変更するように構成され、
前記帰属先装置変更手段は、
前記記憶している端末識別情報を、前記自装置が前記帰属先装置である無線通信端末を識別するための端末識別情報に更新するように構成された無線通信装置。
【０１８４】
（付記１７）
無線通信端末と無線通信を実行可能に構成された無線通信装置に適用される無線通信装置制御方法であって、
前記無線通信装置は、
当該無線通信装置である自装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに前記自装置の状態を設定するように構成され、
前記無線通信装置制御方法は、
前記自装置の負荷である装置負荷を表す装置負荷情報と、当該自装置の近傍に位置する他の無線通信装置である周辺装置の負荷である周辺負荷を表す周辺負荷情報と、を取得し、
前記取得された装置負荷情報及び周辺負荷情報に基づいて、前記無線通信端末が帰属する無線通信装置である帰属先装置を変更する、無線通信装置制御方法。
【０１８５】
（付記１８）
付記１７に記載の無線通信装置制御方法であって、
前記無線通信装置は、
前記自装置の状態を前記起動状態に変更可能な無線通信端末を識別するための端末識別情報を記憶するように構成され、
前記自装置の状態が前記スリープ状態である場合において、前記記憶されている端末識別情報を含む前記起動信号を受信したとき、当該自装置の状態を前記起動状態へ変更するように構成され、
前記無線通信装置制御方法は、
前記記憶している端末識別情報を、前記自装置が前記帰属先装置である無線通信端末を識別するための端末識別情報に更新する、無線通信装置制御方法。
【０１８６】
（付記１９）
無線通信端末と無線通信を実行可能に構成された無線通信装置に実行される無線通信装置制御プログラムであって、
前記無線通信装置は、
当該無線通信装置である自装置に帰属している無線通信端末との間の無線通信を許可するように構成され、
前記無線通信端末と、予め定められた第１の通信方式に従って任意のデータを無線通信可能な状態である起動状態と、無線信号を受信するために必要とされる電力が前記第１の通信方式よりも小さい第２の通信方式に従って起動信号を受信可能であり且つ前記無線通信端末と当該第１の通信方式に従った無線通信を実行不能な状態であるスリープ状態と、のいずれかに前記自装置の状態を設定するように構成され、
前記無線通信装置制御プログラムは、前記無線通信装置に、
前記自装置の負荷である装置負荷を表す装置負荷情報と、当該自装置の近傍に位置する他の無線通信装置である周辺装置の負荷である周辺負荷を表す周辺負荷情報と、を取得し、
前記取得された装置負荷情報及び周辺負荷情報に基づいて、前記無線通信端末が帰属する無線通信装置である帰属先装置を変更する、処理を実行させるための無線通信装置制御プログラム。
【０１８７】
（付記２０）
付記１９に記載の無線通信装置制御プログラムであって、
前記無線通信装置は、
前記自装置の状態を前記起動状態に変更可能な無線通信端末を識別するための端末識別情報を記憶するように構成され、
前記自装置の状態が前記スリープ状態である場合において、前記記憶されている端末識別情報を含む前記起動信号を受信したとき、当該自装置の状態を前記起動状態へ変更するように構成され、
前記無線通信装置制御プログラムは、前記無線通信装置に、
前記記憶している端末識別情報を、前記自装置が前記帰属先装置である無線通信端末を識別するための端末識別情報に更新する、処理を実行させるように構成された無線通信装置制御プログラム。
【産業上の利用可能性】
【０１８８】
本発明は、複数の無線通信端末と、当該無線通信端末と無線通信を実行可能に構成された複数の無線通信装置と、を備える無線通信システム等に適用可能である。
【符号の説明】
【０１８９】
１      無線通信システム
１０    管理装置
１１〜１４  無線基地局
１０１〜１０６  無線端末
２０１  無線通信部
２０２  通信処理部
２０３  起動信号生成部
３０１  無線通信部
３０２  通信処理部
３０３  有線通信部
３０４  電源制御部
３０５  帰属情報管理部
３０６  起動信号受信部
３０７  端末識別情報比較部
３０８  負荷情報取得部
３０９  帰属先装置変更部
４０１  有線通信部
４０２  情報取得部
４０３  情報記憶部
４０４  帰属先装置決定部
４０５  帰属端末情報送信部
ＮＣ    通信ケーブル
１０００  無線通信システム
１００１  負荷情報取得部
１００２  帰属先装置変更部
【図１】
0005988131.tif 000002
【図２】
0005988131.tif 000003
【図３】
0005988131.tif 000004
【図４】
0005988131.tif 000005
【図５】
0005988131.tif 000006
【図６】
0005988131.tif 000007
【図７】
0005988131.tif 000008
【図８】
0005988131.tif 000009
【図９】
0005988131.tif 000010
【図１０】
0005988131.tif 000011
【図１１】
0005988131.tif 000012
【図１２】
0005988131.tif 000013
【図１３】
0005988131.tif 000014
【図１４】
0005988131.tif 000015